(57)【要約】【課題】補助器具を提供する。【解決手段】靴本体と、選択肢である付属部品の一つや一つ以上とからなり、固定が便利で、自動的に分離結合でき、靴を履き替えることなく、脚と摩擦することが無く、前後左右が共通で、高さやサイズを調整でき、動物にも適用でき、体力発電や他の複数の機能が実現される。【選択図】図１
0003141040.tif 000002
【実用新案登録請求の範囲】
【請求項１】
主として、靴本体と、選択肢であるひとつや一つ以上の付属部品とからなり、選択肢である付属部品に、ひとつや複数の靴底付属部品や機能部品が含まれ、選択肢式である付属部品が、装卸部品により、靴本体に固定され、靴と選択肢である付属部品に、それぞれ、体力作動部品が実装され、該体力作動部品とが、肢体作動の部品を指し、前記の部品が、ＤＩＹや一体形成或いは固定部品により、適当な位置に取付けられ、また、上記の部品が、独自に使用されることができるし、互いに組み合せて使用することができ、これにより、靴と選択肢である付属部品とが、容易に固定され、また、自動的に分離結合でき、また、高さとサイズを調整でき、そして、体力による発電等の機能が得られる、
ことを特徴とする補助器具。
【請求項２】
靴と靴底の付属部品が、それぞれに、組みたてるための構造を有し、脚を完全に覆わない式の靴であれば、その靴面上にある部材を、収納することができ、靴面上の部材や収納可能の部材の代わりに、固定部品を利用でき、また、増設した靴底が、前後左右に共通であり、増設した靴底に、靴底や靴パッドを増設することができ、靴と増設された靴底が、互いに共通でき、靴と付属部品の高さが調整可能で、また、サイズも調整できることを特徴とする請求項１に記載の補助器具。
【請求項３】
機能部品が、例えば、回転部品や緩衝部品、発電部品、電力貯蔵、電力伝達備品、用電機能部品、メッセージ部品、監視制御部品、測定部品、静電気消除部品、保健養生部品、温度制御部品、制御部品、収納部品、ボディビルディング運動器材、球類器材、打楽器、音楽器材或いは娯楽器材で、肢体や五官の作動による器材の一つや一つ以上であり、該メッセージ部品に、更に、追跡定位器やＲＦＩＤが含まれ、該温度制御部品に、電気エネルギーや燃料、エネルギー光、物件或いは物体摩擦部品の一つや一つ以上により、熱エネルギーが供給され、上記の各機能部品が、更に、体力により部品を作動して発電し、また、独自に使用してもできることを特徴とする請求項１に記載の補助器具。
【請求項４】
装卸部品が、足部や靴或いは付属部品の側面に設置され、固定部品が、吸着部品や往復部材、回転部品、緩衝部品、エラストマ、係合部品、係合部、挟み部材、バックル部品、伸縮部材、ファスナー、嵌合部品、挿入部品、嵌合部品、靴面上の部材、分離部品、体力作動部品、靴底付属部品、機能部品、被固定物件本体の固定力或いは固着定位の部品の一つや一つ以上であり、また、各固定部品の固定力が調整可能で、また、被固定物件の組みたて部に設置されることができ、そして共通でき、靴と靴底付属部品に、更に、足部補助具や脚踏み部品或いは機能部品の一つや一つ以上が含まれ、また、全ての部品が共通することを特徴とする請求項１乃至３に記載の補助器具。
【考案の詳細な説明】
【技術分野】
【０００１】
本考案は、補助器具に関し、特に、主として、靴本体と、選択肢である付属部品の一つや一つ以上とからなり、固定が便利で、自動的に分離結合でき、靴を履き替えることなく、脚と摩擦することが無く、前後左右が共通で、高さやサイズを調整でき、動物にも適用でき、体力発電や他の複数の機能が実現されるものに関する。
【背景技術】
【０００２】
雄部品と雌部品による「靴底の増設」が既に提案された。また、靴の先端がない「１枚式スリッパ」がある。上記の発明は、優れたアイデアを持つが、改善するスペースがあり、例えば、その改良は、靴の用途に限られ、使用する時、腰を曲がって、手にして位置合わせることと、外す時、また、腰を曲がって、力を入れ込んで分離させることが必要である。そのため、改善すべく課題が残されている。
【０００３】
室内スリッパと「付属の室外靴底」を使用や分離する時、手を使わず、家に進出する場合、そのままで、室内を汚れることが無く、また、固定方式も多元化になる。
【０００４】
肢体や五官の運動エネルギーを電気エネルギーに変換し、また、電気エネルギーを、メッセージや驅動、熱エネルギー或いは他の機能に利用できる。そのような改善により、より人性化になり（特に、高齢者や妊婦或いは動物により便利的である）、また、靴の消耗量を低減でき、そして、ただで汚染のエネルギーが得られ、実に、環境保護に親しい考案である。
【考案の開示】
【考案が解決しようとする課題】
【０００５】
本考案は、主として、靴本体と、選択肢である付属部品の一つや一つ以上とからなり、固定が便利で、自動的に分離結合でき、靴を履き替えることなく、脚と摩擦することが無く、前後左右が共通で、高さやサイズを調整でき、動物にも適用でき、体力発電や他の複数の機能が実現される補助器具を提供する。装卸部品は、分離部品や固定部品の少なくとも一つであり、分離部品は、固定機能を解除する部品である。上記の部品は、ＤＩＹ方式や一体形成或いは固定部品により、器具上の適当な位置に組みたてられ、各部品が共通であり、また、互いに組み合せることができ、独自に使用しても良い。
【課題を解決するための手段】
【０００６】
請求項１の考案は、主として、靴本体と、選択肢であるひとつや一つ以上の付属部品とからなり、選択肢である付属部品に、ひとつや複数の靴底付属部品や機能部品が含まれ、選択肢式である付属部品が、装卸部品により、靴本体に固定され、靴と選択肢である付属部品に、それぞれ、体力作動部品が実装され、該体力作動部品とが、肢体作動の部品を指し、前記の部品が、ＤＩＹや一体形成或いは固定部品により、適当な位置に取付けられ、また、上記の部品が、独自に使用されることができるし、互いに組み合せて使用することができ、これにより、靴と選択肢である付属部品とが、容易に固定され、また、自動的に分離結合でき、また、高さとサイズを調整でき、そして、体力による発電等の機能が得られる、ことを特徴とする補助器具である。
【０００７】
請求項２の考案は、靴と靴底の付属部品が、それぞれに、組みたてるための構造を有し、脚を完全に覆わない式の靴であれば、その靴面上にある部材を、収納することができ、靴面上の部材や収納可能の部材の代わりに、固定部品を利用でき、また、増設した靴底が、前後左右に共通であり、増設した靴底に、靴底や靴パッドを増設することができ、靴と増設された靴底が、互いに共通でき、靴と付属部品の高さが調整可能で、また、サイズも調整できることを特徴とする請求項１に記載の補助器具である。
【０００８】
請求項３の考案は、機能部品が、例えば、回転部品や緩衝部品、発電部品、電力貯蔵、電力伝達備品、用電機能部品、メッセージ部品、監視制御部品、測定部品、静電気消除部品、保健養生部品、温度制御部品、制御部品、収納部品、ボディビルディング運動器材、球類器材、打楽器、音楽器材或いは娯楽器材で、肢体や五官の作動による器材の一つや一つ以上であり、該メッセージ部品に、更に、追跡定位器やＲＦＩＤが含まれ、該温度制御部品に、電気エネルギーや燃料、エネルギー光、物件或いは物体摩擦部品の一つや一つ以上により、熱エネルギーが供給され、上記の各機能部品が、更に、体力により部品を作動して発電し、また、独自に使用してもできることを特徴とする請求項１に記載の補助器具である。
【０００９】
請求項４の考案は、装卸部品が、足部や靴或いは付属部品の側面に設置され、固定部品が、吸着部品や往復部材、回転部品、緩衝部品、エラストマ、係合部品、係合部、挟み部材、バックル部品、伸縮部材、ファスナー、嵌合部品、挿入部品、嵌合部品、靴面上の部材、分離部品、体力作動部品、靴底付属部品、機能部品、被固定物件本体の固定力或いは固着定位の部品の一つや一つ以上であり、また、各固定部品の固定力が調整可能で、また、被固定物件の組みたて部に設置されることができ、そして共通でき、靴と靴底付属部品に、更に、足部補助具や脚踏み部品或いは機能部品の一つや一つ以上が含まれ、また、全ての部品が共通することを特徴とする請求項１乃至３に記載の補助器具である。
【考案を実施するための最良の形態】
【００１０】
以下、図面を参照しながら、より良い実施例を挙げて、本考案の構造特徴やその目的について、詳しく説明する。
【００１１】
図１は、補助器具のより良い部品の立体図である。本考案は、幅広く、人類や動物用の靴に利用でき、例えば、サンダルやスリッパ、ハイヒール、スニーカー、スパイクシューズ、運動用や山登り用靴、医療用の石膏靴や糖尿病靴或いは特別用靴等である。かかと底面とアーチパッド３１等の足部補助具用吸着部品４１を、それぞれに、靴１に固定し、靴を履く時、パタパタすることや脚に摩擦することがなく、サンダル等のような脚を完全に覆わない靴の場合、紐を使用しなくてもかかとを固定でき、扁平足でも、特別靴を履かなくても済む。例えば、点線のように、靴１の底に、一体形成や固定部品により、衝撃力を緩和するためや高さを調整するためのエラストマ４２が設けられ、回復可能のエラストマ４２は、体力作動部品として利用でき、例えば、発電や万歩計（登録商標）或いは他の機能部品である。該吸着部品４１は、テープファスナ、粘着物（例えば、合成樹脂やシリカゲル、自動接着ゲル、重複粘着ゲル、両面粘着、粘着ステッカー或いはその他である）、吸着部品（例えば、静電気や真空、吸盤或いは他の吸力によるものである）、磁気部品（例えば、永久磁石や電磁気）からの少なくとも一つである。足部の補助具は、各種類の靴カーバや清潔用のモップ靴底、矯正用の靴パッド、医療用の糖尿病靴パッド、保健用の針灸靴パッド、エネルギー靴パッド、養生用のナノ靴パッド、除臭炭靴パッド、かかと緩衝バッド、脱落防止の固定部品或いは他の補助具である。
【００１２】
また、靴の下に、靴底２を追加しても良く、これにより、単一用途の靴１は、適当に靴底２に合わせると、用途が広くなる。該靴底２は、靴の先端側面にある係合部品４３とヒール側面の係合部４４と係合することにより、靴１を固定できる。靴底２において、バックル部品４５が設けられることにより、係合部品４３と係合部４４との間に、クリップ力を持たせ、異なるサイズの靴１を固定できる。点線のように、靴底２は、靴１として利用でき、係合部品４３を、靴底２の前部や後部に枢着することにより、脚の前部や後部に固定され、また、バックル部品４５により、脚に合わせて長さを調整できる。
【００１３】
また、靴１の下において、靴底２の下に、それぞれ、脚踏み部品３を設けても良く、また、脚踏み部品３上に、靴１と靴底２とを、履くことができる方向に回転できる回転部品４０を設けると、該回転部品４０により、娯楽やボディビルディング、衝撃力の緩和及び固定解除の機能が得られる。脚踏み部品３は、立て部品や泥除去シート、脚踏み毛布、床、滑り止めストリップ、壁の掛け部品、足部の補助具或いは他の脚踏み器具である。
【００１４】
図２のように、靴１の縦方向に、幅を調整するバックル部品４５が設けられても良く（図に未表示）、靴１の横方向が、伸縮可能の接合部品に設けられると、脚の大きさに合わせて靴１の全体サイズを調整できる。靴底２の係合部品４３が、靴１面に枢着されても良い。脚踏み部品３と回転部品４０は、吸着部品４１により、それぞれ、靴１と靴底２を固定でき、また、該脚踏み部品３により、地面の靴１と靴底２を配列でき、そして、立てて靴棚としても良い。
【００１５】
図３のように、室内靴１で室外靴底２を踏むと、両者（１、２）が、自動的に結合されて、脱落することが無く、また、手を使用せず靴を履き換えることができ、直ぐに外出でき、また、（図に未表示）両者（１、２）が、永久磁石や電磁気による自動的に吸着するものであれば、より便利的になる。また、矢印のように、室内へ入る前、回転部品４０の上を踏むことにより、靴底２が湾曲になると、係合部品４３と係合部４４の固定機能が解除されて、両者（１、２）が分離され、室内靴１で、室内に入り、床の清潔を保つことができ、ｍた、（図に未表示）磁気吸着力によれば、湾曲することがなく、靴底２と貼り付き脚踏み部品３との両者（１、２）を直接に分離できる。また、矢印のように、室外にある靴底２は、前後左右の区別がある場合、回転部品４０により、方向を変更して、着用状態に備えられると、外出する時、そのまま、着用でき、体や靴底２の方向を変換しなく、点線のように、脚踏み部品３について吸着力を解除したら、靴底２が、元の状態に回復する。該靴底２は、室外用の包脚靴１や他の靴１に固定されて、住宅や異なる場所への進出が、より便利且つより快速になる。
【００１６】
本考案において、固定部品と説明した器具は、一部や全部、一方向や対応、ＤＩＹや一体形成の方式によるものであり、固定部品は、対応する器具にある適当な位置に組みたてられ、例えば、上下や前後、左右、垂直面、水平面、斜面、側面或いは他の位置、そして、内部に隠れられても良い、当該らが、共通でき（同じ機能特徴を有するため、互いに取り替えることができる）、当該らを独自にや組立てに利用すれば、より多元化が実現される。
【００１７】
また、図４と図５のように、係合部４４と係合部品４３とは、回転部品４０や他の器具に枢着されても良い。回転部品４０は、ディスク状や他の型態でも良く、また、エラストマ４２や他の方式による作動や回復（回転や昇降）でもよい。
【００１８】
また、図６及図７のように、回転部品４０は、ボールベアリングや他の部品であっても良く、また、一部に吸着部品４１が設けられても良い。靴と靴底（１と２）の間にある固定力が、靴底と脚踏み部品（２と３）により小さい場合、靴底２を摺動する方式や他の方式により、回転部品４０を、吸着力が比較的に小さいやない位置に回すと、両者（１と２）が、ともに、自動的に脚踏み部品３から分離される。回転部品４０を転動しないまま、靴底２が、脚踏み部品３上に固定されて靴１から分離される。
【００１９】
図８のように、靴底２は、前後左右ともに共通できるように設けられても良く、これにより、回転部品４０を組みたてなくて済む。両者（１と２）の間において、磁気吸着力を利用すれば、脚踏み部品３を設けなくても良く、両者（１と２）が、自動的に吸着して、また、互いに合わせるサイズに調整される。靴底２を蹴て、吸着力のない位置に摺動すると、足部に履かれた靴１から自動的に分離され（電磁気力を解除しても良い）。また、点線のように、靴１の足指挟み部材４６や脚の後部にある着用帯などの全ての部材は、枢着することや畳んで収納できることにより、靴１面に部材がないため、靴１と靴底２、１枚式スリッパ及び靴パッドは、共通でき、そして、互いに重ねて利用することができる。
【００２０】
また、図９のように、係合部品４３と係合部４４等の固定部品は、靴底２の任意の位置に設置することができ、靴底２面が、内へ凹みにように設けられても良く、この時、固定部品が、フリップが設けられる構造であれば良く、伸縮部材４７やエラストマ４２或いは靴底２の本体の弾力により、固定力を調整でき、脚踏むことと蹴ることにより、靴を履くか外すことが実現される。
【００２１】
また、図１０のように、例えば、猫や犬等の動物の足パッド３１と靴１及び靴底２は、足指の挟み部材４６やＤＩＹの両面粘着及び一体形成の吸着部品４１或いは他の固定部品により、足部に固定され、使い捨て式や繰り返し式でも良い。手動や自動により着用すると、自由に活動できるし、また、傷付けや汚れることがない。
【００２２】
また、図１１のように、往復部材や回転部品４０及び各種類の体力作動部品は、一体形成や固定部品により、それぞれ、靴１や運動とボディビルディング器材（例えば、トレッドミルや重量挙げ器、臂力器、握り力器、ラケット及びバット）、ジャンプ棒、ビデオゲーム制御器等の娯楽器材（玩具と遊戯が含まれる）、鼓のばちや他の楽器或いは身体動作に関する器具に組みたてることができる。該体力作動部品は、肢体五官（手、脚、体、顔、眉、目、口、鼻、耳）の動作連動発電部品であれば、動物や人類の運動エネルギーを電力に変換して使用できる。
【００２３】
該発電部品は、環境保護懐中電灯と同じ原理で発電し、例えば、（１）転動方式で、自転車車輪により発電機が連動される原理であり、例えば、回転や圧力或いは引張り力による発電である。（２）往復方式で、電磁共鳴発電の原理を利用して、パワーを発電系統のアームチュアへ伝達して、搖動発電し、電池を必要しない。（３）転動方式と往復方式とを兼用する混合式である。靴は、係合部４４を有する巻尺３２や投射センサー等の測定器具が組みたてられても良い。
【００２４】
本考案は、以下の機能を有しても良く、従来や簡単の技術で、明細書の内容に参照すれば、分かり、そのため、図に表示せず、また、該機能部品は、独自に、組合わせに、器具の適当な位置に設置しても良い。
【００２５】
回転部品４０は、靴１や靴底２或いは他の部品に設けられても良い。
【００２６】
固定部品は、次の固着定位するための部品の少なくとも一つであり、例えば、往復部材４０や回転部品４０、エラストマ４２、バックル部品４５、挟み部材４６、直列や組みたて等の伸縮部材４７、ファスナー或いは嵌合部品であり、靴面上の部材は、分離部品や体力作動部品、付属部品、機能部品、ファスナー、枢着部品、凹凸や摺動槽等の嵌合部品、針や釘或いはボルト等の挿入部品、拘束部品、縛り部品、係止部品、ほぞ部品、係合部品、ロック部品、掛け部品、係合部、押え部品、引張り部品、結合部品、封止部品、滑り止め部品、摩擦部品、摺動部品或いは他の部品である。各固定部品は、組み合せることにより、更に、固定力を調整することができ、対応する組みたて部により（例えば、靴１の底面にあるＣ形状伏条に、靴底２の上面の突出が嵌合する）組みたてることができる。
【００２７】
また、電力を貯蔵部品は、例えば、充電可能である水銀や燃料電池或いは蓄電池である。
【００２８】
電力伝達備品は、例えば、ＵＳＢや端子、連接線、ソケット、プラグ、変圧器、他の連接器、携帯急速充電や照明等の電力の出力器或いは電力貯蔵等の電力の入力器である。
【００２９】
電力機能部品は、電力を利用する数多い機能であり、例えば、音声や光線、震動、画像、文字、ストレージメモリ、転送、認識（識別）等のメッセージであり、また、有線転送や無線転送でもよく、該メッセージは、照明や方向支持或いはスピードオーバー等の警告や目標の指示、バックの後方表示或いはＰＤＡ等の表示、光電やパルス等の医療、ナノや針灸等の保健、測定や監視制御（例えば、心拍、血圧、脈拍、体脂肪、計量、計時、温度、紫外線、盗難防止、遠隔監視制御定位やサーチのＧＰＳ、ＲＦＩＤ、指紋や網膜認識、投射センサー）、電撃等の防身、ビデオゲームやＩＰＯＤ等の娯楽、電子メッセージの再生記録や転送、また、回転部品４０やファン或いは空気入れ等の物件の驅動、バックミラーの調整、料理エネルギーの提供、物品の燃やし、保暖、保健養生、体温センサー等の身体情況や他の道の情況（障害や峠或いは凹みである）を検知する。
【００３０】
測定部品は、例えば、巻尺３２や、機械式や電子式の計数計量器である。
【００３１】
静電気消除部品は、物品や人体の静電気を除去でき、一般として、空気静電気放電器や接地するチェン式放電器である。
【００３２】
保健養生部品は、例えば、磁やチタン、ゲルマニウム或いは炭等のエネルギー物件や、ナノ機能に関する物件、光療、針灸、マッサージ等の保健物件、保暖や放熱或いは恒温等の温度制御部品、清浄、臭み除去等の清潔部品、湿気除去や乾燥、ダニ防止等の除菌殺菌部品、温度制御部品は、電気エネルギーや、燃料やエネルギー光、物件や物体摩擦部品の少なくとも一つにより熱エネルギーを供給する。
【００３３】
制御部品は、上記の機能部品を制御し、例えば、磁気リードスイッチや、機械と光電スイッチ、有線と無線制御或いは誘導や検知制御等である。
【００３４】
収納部品は、例えば、両者（１と２）の間に設置され、靴１本体と靴底２本体の空間は、物品を収納することに供することができる。
【図面の簡単な説明】
【００３５】
【図１】補助器具のより良い部品の立体図
【図２】図１のより良い実施例
【図３】図１の連続動作図
【図４】補助器具の他のより良い実施例
【図５】補助器具の他のより良い実施例
【図６】補助器具の他のより良い実施例
【図７】補助器具の他のより良い実施例
【図８】補助器具の他のより良い実施例
【図９】補助器具の他のより良い実施例
【図１０】補助器具の他のより良い実施例
【図１１】補助器具の他のより良い実施例
【符号の説明】
【００３６】
１      靴
２      靴底
３      脚踏み部品
３１    パッド
３２    巻尺
４０    往復部材、回転部品
４１    吸着部品
４２    エラストマ
４３    係合部品
４４    係合部
４５    バックル部品
４６    挟み部材
４７    伸縮部材
【図１】
0003141040.tif 000003
【図２】
0003141040.tif 000004
【図３】
0003141040.tif 000005
【図４】
0003141040.tif 000006
【図５】
0003141040.tif 000007
【図６】
0003141040.tif 000008
【図７】
0003141040.tif 000009
【図８】
0003141040.tif 000010
【図９】
0003141040.tif 000011
【図１０】
0003141040.tif 000012
【図１１】
0003141040.tif 000013
【手続補正書】
【提出日】平成19年12月4日(2007.12.4)
【手続補正１】
【補正対象書類名】実用新案登録請求の範囲
【補正対象項目名】全文
【補正方法】変更
【補正の内容】
【実用新案登録請求の範囲】
【請求項１】
主として、靴と、靴ソールと、選択可能の付属部品である踏み部品や体力発電部材とからなる補助器具であって、
靴の底部や側辺、と取り付けられた靴ソールの上面や側辺に、固定部材が、一体的にか、組み立てられるように取り付けられ、固定部材により、靴ソールが、靴の下面に取り付けられることができ、取りつけられた靴ソールや固定部材をキックすると、取り付けられた靴ソールが、靴から分離され、
また、固定部材が、踏み部品本体に取り付けられても良く、これにより、取り付けられた靴ソールが、踏み部品に固定され、また、靴から分離することができ、踏み部品は、地面に設置して、靴や取り付けられた靴ソールで踏むことができ、また、靴ステーとして、起立させることができ、
靴や取り付けられた靴ソールの両者の下面や側辺に、固定部材による方式や一体方式により、人力や歩く動作による体力発電部材が設けられ、転動や押すこと、引張ること或いは搖動することにより、発電して給電でき、
該固定部材が、マジックテープや静電気或いは真空の吸付部材や、磁石や電磁の磁力吸付部材、粘着材、軸支部材、転動部材、バファ部材、エラストマ、抵当部材、係合部材、グリップ、ベローズ、ファスナー、嵌合部材、挿設部材、固定部材自身の固定力或いは固着定位部材等であり、単一方向の固定部材でもよく、対向する固定部材でも良く、また、２種類の固定部材を組み立てて使用しても良い、
ことを特徴とする補助器具。
【請求項２】
靴上の人文字の挟み持ち帯が、前方へ回転して靴の上面に貼り付くことができ、また、靴が、取り付けられた靴ソールとして利用でき、
取り付けられた靴ソールが、前後左右に分けられなく、
取り付けられた靴ソールにおいて、下面に、さらに、靴ソールを取り付けることができ、その上に、パッドを取り付けることができ、
靴や取り付けられた靴ソールの本体の縦方向や横方向に、サイズを調整するためのベローズなどの固定部材が、設けられ、
靴や取り付けられた靴ソールのヒールに、高さを調整するためのベローズなどの固定部材が、設けられ、
靴や取り付けられた靴ソール本体が、固定部材の変わりに、可塑性材を利用することができ、また、固定部材に合わせて利用することができ、
また、靴本体や組み立てられた靴ソール本体に、それぞれ、電力貯蔵部材や電力転送部材、電力消費機器、捲き尺や機械式や電子式カウンターである情報やモニタ部材、測定部材、抗静電気部材、健康部材、熱エネルギーを供給する電力エネルギーや燃料、エネルギー光或いは物体摩擦部品である温度制御部材、制御部材或いは収納部材の一つやその組み合せが設けられることを特徴とする請求項１に記載の補助器具。
【請求項３】
固定部品は、
それぞれ、靴や取り付けられた靴ソールとの間にある連結部が、可塑性物体や軸支体であり、
固定部材が、踏み部材に設けられた突出を有し、該突出を湾曲して形成されて取り付けられた靴ソールが、靴から分離されることができ、
固定部材が、取り付けられた靴ソールのヒール部と頭部に設けられた二つのグリップ部品とを有し、一つのグリップ部品が、取り付けられた靴ソールと一体成型され、もう一つのグリップ部が、取り付けられた靴ソールと一体成型されるか突出することからなり、作動端とされ、頭部とヒール部に固定された両グリップ部により、取り付けられる靴ソールが、靴の下面に固定され、取り付けられた靴ソールが、作動端をキックすることや、踏み部品にある突出を踏むことにより、靴から分離され、また、両グリップ部品が、取り付けられる靴ソールの上面の回りに設けられ、靴本体を側辺を囲むようにしても良く、
転動部材が、ボールや軸、皿などの転動可能の素子であり、それぞれ、踏み部材や靴或いは取り付けられる靴ソールの本体に実装され、
転動部材本体の一部が、固定部材に設けられる、
ことを特徴とする請求項１か２に記載の補助器具。
【手続補正２】
【補正対象書類名】明細書
【補正対象項目名】０００６
【補正方法】変更
【補正の内容】
【０００６】
請求項１の考案は、主として、靴と、靴ソールと、選択可能の付属部品である踏み部品や体力発電部材とからなる補助器具であって、靴の底部や側辺、と取り付けられた靴ソールの上面や側辺に、固定部材が、一体的にか、組み立てられるように取り付けられ、固定部材により、靴ソールが、靴の下面に取り付けられることができ、取りつけられた靴ソールや固定部材をキックすると、取り付けられた靴ソールが、靴から分離され、また、固定部材が、踏み部品本体に取り付けられても良く、これにより、取り付けられた靴ソールが、踏み部品に固定され、また、靴から分離することができ、踏み部品は、地面に設置して、靴や取り付けられた靴ソールで踏むことができ、また、靴ステーとして、起立させることができ、靴や取り付けられた靴ソールの両者の下面や側辺に、固定部材による方式や一体方式により、人力や歩く動作による体力発電部材が設けられ、転動や押すこと、引張ること或いは搖動することにより、発電して給電でき、該固定部材が、マジックテープや静電気或いは真空の吸付部材や、磁石や電磁の磁力吸付部材、粘着材、軸支部材、転動部材、バファ部材、エラストマ、抵当部材、係合部材、グリップ、ベローズ、ファスナー、嵌合部材、挿設部材、固定部材自身の固定力或いは固着定位部材等であり、単一方向の固定部材でもよく、対向する固定部材でも良く、また、２種類の固定部材を組み立てて使用しても良い、ことを特徴とする補助器具である。
【手続補正３】
【補正対象書類名】明細書
【補正対象項目名】０００７
【補正方法】変更
【補正の内容】
【０００７】
請求項２の考案は、靴上の人文字の挟み持ち帯が、前方へ回転して靴の上面に貼り付くことができ、また、靴が、取り付けられた靴ソールとして利用でき、取り付けられた靴ソールが、前後左右に分けられなく、取り付けられた靴ソールにおいて、下面に、さらに、靴ソールを取り付けることができ、その上に、パッドを取り付けることができ、靴や取り付けられた靴ソールの本体の縦方向や横方向に、サイズを調整するためのベローズなどの固定部材が、設けられ、靴や取り付けられた靴ソールのヒールに、高さを調整するためのベローズなどの固定部材が、設けられ、靴や取り付けられた靴ソール本体が、固定部材の変わりに、可塑性材を利用することができ、また、固定部材に合わせて利用することができ、また、靴本体や組み立てられた靴ソール本体に、それぞれ、電力貯蔵部材や電力転送部材、電力消費機器、捲き尺や機械式や電子式カウンターである情報やモニタ部材、測定部材、抗静電気部材、健康部材、熱エネルギーを供給する電力エネルギーや燃料、エネルギー光或いは物体摩擦部品である温度制御部材、制御部材或いは収納部材の一つやその組み合せが設けられることを特徴とする請求項１に記載の補助器具である。
【手続補正４】
【補正対象書類名】明細書
【補正対象項目名】０００８
【補正方法】変更
【補正の内容】
【０００８】
請求項３の考案は、固定部品は、それぞれ、靴や取り付けられた靴ソールとの間にある連結部が、可塑性物体や軸支体であり、固定部材が、踏み部材に設けられた突出を有し、該突出を湾曲して形成されて取り付けられた靴ソールが、靴から分離されることができ、固定部材が、取り付けられた靴ソールのヒール部と頭部に設けられた二つのグリップ部品とを有し、一つのグリップ部品が、取り付けられた靴ソールと一体成型され、もう一つのグリップ部が、取り付けられた靴ソールと一体成型されるか突出することからなり、作動端とされ、頭部とヒール部に固定された両グリップ部により、取り付けられる靴ソールが、靴の下面に固定され、取り付けられた靴ソールが、作動端をキックすることや、踏み部品にある突出を踏むことにより、靴から分離され、また、両グリップ部品が、取り付けられる靴ソールの上面の回りに設けられ、靴本体を側辺を囲むようにしても良く、転動部材が、ボールや軸、皿などの転動可能の素子であり、それぞれ、踏み部材や靴或いは取り付けられる靴ソールの本体に実装され、転動部材本体の一部が、固定部材に設けられる、ことを特徴とする請求項１か２に記載の補助器具である。
【手続補正５】
【補正対象書類名】明細書
【補正対象項目名】０００９
【補正方法】変更
【補正の内容】
【０００９】
本考案の補助器具は、また、装卸部品が、足部や靴或いは付属部品の側面に設置され、固定部品が、吸着部品や往復部材、回転部品、緩衝部品、エラストマ、係合部品、係合部、挟み部材、バックル部品、伸縮部材、ファスナー、嵌合部品、挿入部品、嵌合部品、靴面上の部材、分離部品、体力作動部品、靴底付属部品、機能部品、被固定物件本体の固定力或いは固着定位の部品の一つや一つ以上であり、また、各固定部品の固定力が調整可能で、また、被固定物件の組みたて部に設置されることができ、そして共通でき、靴と靴底付属部品に、更に、足部補助具や脚踏み部品或いは機能部品の一つや一つ以上が含まれ、また、全ての部品が共通することを特徴とする。
【手続補正書】
【提出日】平成20年1月10日(2008.1.10)
【手続補正１】
【補正対象書類名】実用新案登録請求の範囲
【補正対象項目名】請求項１
【補正方法】変更
【補正の内容】
【請求項１】
主として、靴と、靴ソールと、選択可能の付属部品である踏み部品や体力発電部材とからなる補助器具であって、
靴の底部や側辺、と取り付けられた靴ソールの上面や側辺に、固定部材が、一体的にか、組み立てられるように取り付けられ、固定部材により、靴ソールが、靴の下面に取り付けられることができ、取りつけられた靴ソールや固定部材をキックすると、取り付けられた靴ソールが、靴から分離され、
また、固定部材が、踏み部品本体に取り付けられても良く、これにより、取り付けられた靴ソールが、踏み部品に固定され、また、靴から分離することができ、踏み部品は、地面に設置して、靴や取り付けられた靴ソールで踏むことができ、また、靴ステーとして、起立させることができ、
靴や取り付けられた靴ソールの両者の下面や側辺に、固定部材による方式や一体方式により、人力や歩く動作による体力発電部材が設けられ、転動や押すこと、引張ること或いは搖動することにより、発電して給電でき、
該固定部材が、面ファスナーや静電気或いは真空の吸付部材や、磁石や電磁の磁力吸付部材、粘着材、軸支部材、転動部材、バファ部材、エラストマ、抵当部材、係合部材、グリップ、ベローズ、ファスナー、嵌合部材、挿設部材、固定部材自身の固定力或いは固着定位部材等であり、単一方向の固定部材でもよく、対向する固定部材でも良く、また、２種類の固定部材を組み立てて使用しても良い、
ことを特徴とする補助器具。
【手続補正２】
【補正対象書類名】明細書
【補正対象項目名】０００６
【補正方法】変更
【補正の内容】
【０００６】
請求項１の考案は、主として、靴と、靴ソールと、選択可能の付属部品である踏み部品や体力発電部材とからなる補助器具であって、靴の底部や側辺、と取り付けられた靴ソールの上面や側辺に、固定部材が、一体的にか、組み立てられるように取り付けられ、固定部材により、靴ソールが、靴の下面に取り付けられることができ、取りつけられた靴ソールや固定部材をキックすると、取り付けられた靴ソールが、靴から分離され、また、固定部材が、踏み部品本体に取り付けられても良く、これにより、取り付けられた靴ソールが、踏み部品に固定され、また、靴から分離することができ、踏み部品は、地面に設置して、靴や取り付けられた靴ソールで踏むことができ、また、靴ステーとして、起立させることができ、靴や取り付けられた靴ソールの両者の下面や側辺に、固定部材による方式や一体方式により、人力や歩く動作による体力発電部材が設けられ、転動や押すこと、引張ること或いは搖動することにより、発電して給電でき、該固定部材が、面ファスナーや静電気或いは真空の吸付部材や、磁石や電磁の磁力吸付部材、粘着材、軸支部材、転動部材、バファ部材、エラストマ、抵当部材、係合部材、グリップ、ベローズ、ファスナー、嵌合部材、挿設部材、固定部材自身の固定力或いは固着定位部材等であり、単一方向の固定部材でもよく、対向する固定部材でも良く、また、２種類の固定部材を組み立てて使用しても良い、ことを特徴とする補助器具である。